(57)【要約】      （修正有） 【課題】初めて箸を使うとき、どう箸を使えばよいかわからないので、初めて箸を使う人にとって使い方を会得しやすい最良の形態機構としている箸を提供すること。【解決手段】箸Ａ，Ｂは２本で一対をなし役立つもの、箸Ａ，Ｂを１本１本は離ればなれのもでは初めて箸を使う人には難しいものであるが、箸Ａ，Ｂ２本を離ればなれのものから、離ればなれの箸Ａ，Ｂを板形プラスチィック成形材２で一体化することにより、箸を使うときの手、指、に課せられた複雑な要件を少なくすることができるとしたもの。【選択図】図２
2007098077.tif 000002
【特許請求の範囲】
【請求項１】
箸Ａ箸Ｂで一対の箸にあって箸Ａの長さにおける中間よりやや箸の頭部寄りに小さな穴をあける、箸Ｂにも穴をあけるが、箸Ａの穴の位置よりもさらに少し箸の頭部寄りの位置に小さな穴をあける、箸Ａと箸Ｂとにあける穴の位置の相違。
凸端子凹端子の二つの端子をもった板形プラスティク成形材の２枚で穴をあけた２本で一対の箸を両側からはさみ込むようにしてつなぎ一体化する。
一体化したこの箸にあって板形プラスティク成形材の位置は箸を手に持つときの手の位置としたもの、帯バンド形、指の図柄、きき手の親指の位置を示すもの。
【発明の詳細な説明】
【発明の意義】
【０００１】本発明は、初めて箸を持つ人のため、箸の持ち方と箸の先で物をつまむときの指の使い方を会得しやすい発明であり、食文化を通じて、伝統文化の発展に寄与するものである。
［発明の背景］
【０００２】幼児期、初めて箸を持つとき、どう箸を持てばよいかわかるはずもない。幼児に箸を持たせようとする親も周囲の者も、どう幼児に箸を持たせればよいか、どう指導すればよいかわからず迷うことは多い。
［発明の開始］
【発明が解決しようとする課題】
【０００３】１本の棒なら幼児もたやすく持つことができる。２本の棒である箸を、箸先で物をつまむために持つなどということは到底できない。２本で機能する箸、２本の箸を片手の指で操る難しさ、これが課題である。
【課題を解決するための手段】
【０００４】この課題を解決するため、２本の棒であり、離ればなれの棒である箸をどのようにして一体化するかである。一体化することで箸の持ち方が理解しやすくなり、さらには、箸を持ち、持ったままで指を動かし、箸先で物をつまむ、この方に意識を集中させようとするものである。
そこで本発明は、２本の棒である箸を、板形プラスティク成形材を使い、離ればなれの棒である箸を一体化することに成功したものである。
【発明の効果】
【０００５】２本の棒である箸を一体化することで、初めて箸を使う幼児は、箸を使う難しさからいくらか開放されよう。箸を使う楽しさを感じるかもしれない。後に記す本発明の形状や機能を少し理解できれば、幼児に箸を使わせようとする親、周囲の者も、箸の使い方を教える難しさから、箸を使わせる楽しさに変わるかもしれない。
食事の洋式化が進み箸の使用回数が減っていく今日、また、食育を声高に言わなければならない今、日本文化の価値を見直していこうとする今、和食に欠かせない箸を使う楽しさを感じられることの意義は大きいものと言えよう。
一方、世界の中では、日本食ブームと言われている、外国の人も器用に箸を使う光景も見られる、観光旅行で日本に来る人たちが、本発明により、手短に箸の使い方を会得していただければ日本での旅も楽しいものになるものと思う。
日本で生まれ、日本で育った人の中に、箸をうまく使えない人も見受けられる、これらの人のなかには、小さい時、箸の使い方を教えられなかった人もいよう。良いしつけを受ける機会がなかった人もいよう。左利きでありながら右で箸を使うことをしいられたため今も箸をうまく使えない人もいよう。これらの人に美しい箸の使い方を学ぶ機会が本発明により与えられることを願う。
［発明の実地・最良の形態機構］
【０００６】図１は、２本の箸を並べた一対の箸の平面図である。
説明を進めるため一対の箸の１本を、箸Ａとし（図１で見る下の箸）。１本を、箸Ｂとする（図１で見る上の箸）。
箸Ａの長さにおける中間から少し箸の頭部寄りに小さな穴をあける、箸Ｂにも穴をあけるが箸Ａの穴の位置よりさらに箸の頭部寄りに小さな穴をあける。
箸を使う人には、左きき、右きき、とがある。図１で見ることができる、穴をあけた箸Ａと穴をあけた箸Ｂとによる２本で一対をなす箸の上下の箸の配列の位置は右きき用である。箸Ａ箸Ｂの配列を変えるか反転して向きをかえると左きき用となる。
一対の箸を手にして箸先で物をはさむときやはさんだ物をはなすとき、箸が動くのは箸Ｂである。箸で物をはさむとき箸先は揃っているのが理想。しかしながら、箸先がずれてしまうことがある、ずれてしまうと物をはさむのにはさみにくくなる。その場合に、箸Ａの先が箸Ｂの箸先より先に出てしまうと非常に物をはさみにくくなる。その逆だと物をはさむのにそれほどさしつかえはない。この後の説明となる板形プラスティク成形材の凸端子凹端子を２本の箸の穴に通し２本の箸を一体化した製品として使用した場合に箸先がそろうよう、あるいは、箸Ｂが箸Ａの先端より先に出るよう考慮して箸にあける穴を、箸Ｂにおいて箸Ａよりも箸の頭部寄りに穴をあけるのはこのためである。
【０００７】図２は、図１で見ることのできる、箸Ａと箸Ｂが離ればなれになっている箸を一体化するため板形プラスティク成形材を使ってつないだ平面図である。
板形プラスティク成形材は厚さ１ミリ程の板形であり板形の片側に凸端子と凹端子の二つの端子が付いている。この板形プラスティク成形材２枚で一対の箸を両側から、はさみ込む、このとき、凸端子凹端子は箸の穴に通し箸の穴の中で互いにドッキングさせる。板形プラスティク成形材でつながれた一対の箸は箸の穴に通された端子を起点にして、箸Ａは箸Ｂの箸の方向に、箸Ｂは箸Ａの方向にと互いに向き合った方向に動かすことができ、その反対の方向へも動かすことができる。
本発明において最も特徴とするところは、一対の箸を板形プラスティク成形材の板形で両側から、はさみ込みをしているところである。このため一対の箸ＡＢは必要とする方向へのみ動かしやすく他の方向には極めて動きにくい特徴をもつものである。
一対の箸を板形プラスティク成形材でつないでいるが、この板形プラスティク成形材で一対の箸をつないでいる板形プラスティク成形材のおかれている位置は箸を手に持つときの手の位置でもある。つまり、指を添え置く位置である。そのため、図２の平面図で見ることのできるように、親指を添え置く位置がわかるように指の形の図柄を用いたり、ここに親指を入れるのだとわかるように帯バンド形を設けることや文字で書き示すものとするものである。
【０００８】２本で一対の箸を手に持って使用するとき、箸Ａと箸Ｂとの間の間隔は箸を持って使用する間は箸Ａ箸Ｂの穴の位置において一定に保たれなければならない。
箸Ａと箸Ｂとの間の間隔は板形プラスティク成形材に付いている凸端子と凹端子との間の間隔によるものでもあり、くわえて箸先を揃えることで決まるものである。
２本で一対の箸を手に持って使用しているとき、必要に応じて指の動かしにより動くのは箸Ｂである、箸Ａは動かない。
２本で一対の箸を手に持って使用しているとき箸Ａは固定していて上下左右どの方向にも動かない方がよりよい。そのため、本発明は一対の箸を板形ラスティク成形材で両側からはさみ込んでいるが、このとき、点のように狭い範囲ではなく、ある程度の巾をもって箸の両側からはさみ込むことで箸のむだな方向への動きを制限しているものである。
この板形プラスティク成形材でつながれた２本で一対の箸は使用しないときは、箸Ａ箸Ｂは密着させるべく折りたたんでおくことができる。
【産業上の利用可能性】
【０００９】本発明の箸は工業的に量産が可能であり、箸を必要としている人が世界に広がっているため輸出品となる。工業製品としてデザイン（形・色）にすぐれたものになる。
［未来への展望］【００１０】本発明のこの箸にセンサーを付け超小型コンピューターを内蔵した製品としたい。
そうすれば、ある程度自動的に動く箸などが考えられる、その基礎にこの箸がなることを期待する。【００１１】植物を原材料にしたプラスティクで本発明の箸を生産し一度使ったら廃棄する箸とし、それを回収し砕いて肥料とするなど巡回型社会に参加できる製品となる。現在、お皿、スプーンなどで一部おこなわれている。
【図面の簡単な説明】
【００１２】
【図１】図１は、２本の箸を並べた一対の箸の平面図で箸Ａ箸Ｂに小さな穴をあけたもの。
【図２】箸Ａ箸Ｂを一体化するため板形プラスティク成形材を使ってつないだ平面図であり、帯バンド形を付けたものであり、右ききでの親指を添える位置を示すため指の図柄を付けたもの。文字も付け加えたもの。矢印は帯バンド形に向けて、（帯バンド形が無く指の図柄のみの場合）指の図柄に向けて右ききの親指を添えあてる方向を示すもの。
【図３】一対の箸を板形プラスティク成形材で両側からはさみ込んだ主要部分を起点にした以遠を含む部分拡大断面、（起点、２図のａ〜ａ）。
【符号の説明】
【００１３】Ａ    箸Ａ
Ｂ    箸Ｂ
１    箸にあけられた穴
２    板形プラスティク成形材
３    帯バンド形
４    指の図柄
５    凸端子
６    凹端子
【図１】
2007098077.tif 000003
【図２】
2007098077.tif 000004
【図３】
2007098077.tif 000005